(57)【要約】【課題】製造コストを抑えることができる車線処理装置を提供することができる。【解決手段】車線処理装置は、内蔵ユニットと、前記内蔵ユニットを収容するための筐体とを備え、車線を走行する車両に対して所定の処理を行う車線処理装置であって、前記筐体は、前記内蔵ユニットを収容可能な空間を形成し、かつ、幅方向左側及び幅方向右側の両方に開口を有するベース部材と、前記開口を開閉可能とする閉塞部材と、を備え、前記閉塞部材は、前記ベース部材の幅方向左側からの取り扱いを可能とする第１の使用状態と、前記ベース部材の幅方向右側からの取り扱いを可能とする第２の使用状態と、を切り替え可能に構成されている。【選択図】図２
2020109586.tif 000002
【特許請求の範囲】
【請求項１】
内蔵ユニットと、前記内蔵ユニットを収容するための筐体とを備え、車線を走行する車両に対して所定の処理を行う車線処理装置であって、
前記筐体は、
前記内蔵ユニットを収容可能な空間を形成し、かつ、幅方向左側及び幅方向右側の両方に開口を有するベース部材と、
前記開口を開閉可能とする閉塞部材と、
を備え、
前記閉塞部材は、前記ベース部材の幅方向左側からの取り扱いを可能とする第１の使用状態と、前記ベース部材の幅方向右側からの取り扱いを可能とする第２の使用状態と、を切り替え可能に構成されている
車線処理装置。
【請求項２】
前記ベース部材は、
前記閉塞部材を前記第１の使用状態で用いる場合に、当該閉塞部材を取り付けるための左側取付部と、
前記閉塞部材を前記第２の使用状態で用いる場合に、当該閉塞部材を取り付けるための右側取付部と、
を備える請求項１に記載の車線処理装置。
【請求項３】
前記ベース部材は、前記左側取付部及び前記右側取付部が、高さ方向における中心を基準に対称となるように設けられており、
前記閉塞部材は、前記左側取付部及び前記右側取付部のいずれかと連結される被取付部が、高さ方向における中心を基準に対称となるように取り付けられている
請求項２に記載の車線処理装置。
【請求項４】
前記閉塞部材は、ハンドルを着脱可能なハンドル取付部を備えている
請求項１から請求項３のいずれか一項に記載の車線処理装置。
【請求項５】
前記ベース部材は、
前記内蔵ユニットを幅方向における両方から出し入れ可能とするユニット支持部材を更に備える
請求項１から請求項４のいずれか一項に記載の車線処理装置。
【請求項６】
前記ユニット支持部材は、
幅方向左側及び幅方向右側の両方に、前記内蔵ユニットを固定するためのユニット固定片を有し、
前記内蔵ユニットは、
幅方向左側から前記ベース部材の内部に挿入された際に、前記ユニット支持部材の幅方向左側に配された前記ユニット固定片に取り付け可能な左取付状態、及び、
幅方向右側から前記ベース部材の内部に挿入された際に、前記ユニット支持部材の幅方向右側に配された前記ユニット固定片に取り付け可能な右取付状態
のいずれかに切り替え可能とされる
請求項５に記載の車線処理装置。
【請求項７】
前記内蔵ユニットは、奥行方向手前側に向けて所定の処理を行わない第１内蔵ユニットと、奥行方向手前側に向けて所定の処理を行う第２内蔵ユニットとを含み、
前記第２内蔵ユニットは、前記所定の処理を行うユニット本体の、前記ベース部材に対する向きを変えずに、前記左取付状態、及び、前記右取付状態を切り替え可能とする
請求項６に記載の車線処理装置。
【請求項８】
前記所定の処理として、前記車線を走行する車両のナンバープレート情報を取得するナンバープレート認識装置である
請求項１から請求項７のいずれか一項に記載の車線処理装置。
【請求項９】
車線を走行する車両に対して所定の処理を行う車線処理装置の筐体に収容される内蔵ユニットであって、
前記筐体の幅方向左側から当該筐体の内部に挿入された際に、前記筐体の幅方向左側に配されたユニット固定片に取り付け可能な左取付状態、及び、
前記筐体の幅方向右側から当該筐体の内部に挿入された際に、前記筐体の幅方向右側に配されたユニット固定片に取り付け可能な右取付状態
のいずれかに切り替え可能に構成されている
車線処理装置の内蔵ユニット。
【発明の詳細な説明】
【技術分野】
【０００１】
本発明は、車線処理装置、及び、車線処理装置の内蔵ユニットに関する。
【背景技術】
【０００２】
特許文献１は、有料道路の料金所に設けられる料金収受設備について記載されている。料金収受設備は、料金所に進入してきた車両に対して所定の処理を行う車線処理装置の一つとして、当該車両のナンバープレートを撮影して、この車両のナンバープレート情報を取得するナンバープレート認識装置を備えている場合がある。
【先行技術文献】
【特許文献】
【０００３】
【特許文献１】特開２０１５−０７５８４１号公報
【発明の概要】
【発明が解決しようとする課題】
【０００４】
ナンバープレート認識装置等の車線処理装置は、製造コストを抑えることが求められる。
【０００５】
本発明は、製造コストを抑えることができる車線処理装置、及び、車線処理装置の内蔵ユニットを提供することを目的とする。
【課題を解決するための手段】
【０００６】
本発明の第１の態様によれば、車線処理装置（１３）は、内蔵ユニット（Ｐ１、Ｐ２）と、前記内蔵ユニットを収容するための筐体（１３Ａ）とを備え、車線（Ｌ）を走行する車両（Ａ）に対して所定の処理を行う車線処理装置であって、前記筐体は、前記内蔵ユニットを収容可能な空間を形成し、かつ、幅方向左側及び幅方向右側の両方に開口を有するベース部材（２０）と、前記開口を開閉可能とする閉塞部材（３１）と、を備える。前記閉塞部材は、前記ベース部材の幅方向左側からの取り扱いを可能とする第１の使用状態と、前記ベース部材の幅方向右側からの取り扱いを可能とする第２の使用状態と、を切り替え可能に構成されている。
このようにすることで、作業者は、ベース部材の開口を開閉する閉塞部材について、ベース部材の幅方向左側からの取り扱いを可能とする第１の使用状態と、ベース部材の幅方向右側からの取り扱いを可能とする第２の使用状態とを自由に切り替えることができる。これにより、作業者は、アイランド上における設置スペース等の事情に応じて、ナンバープレート認識装置１３を左開きタイプとするか、右開きタイプとするかを柔軟に変更することができる。
そして、このようにすることで、ナンバープレート認識装置の製造者は、右開きタイプのナンバープレート認識装置、及び、左開きタイプのナンバープレート認識装置を専用品として作り分ける必要がない。そのため、部品コストが抑えられ、ナンバープレート認識装置の製造コストを抑えることができる。
【０００７】
また、本発明の第２の態様によれば、前記ベース部材は、前記閉塞部材を前記第１の使用状態で用いる場合に、当該閉塞部材を取り付けるための左側取付部（２７Ｌ）と、前記閉塞部材を前記第２の使用状態で用いる場合に、当該閉塞部材を取り付けるための右側取付部（２７Ｒ）と、を備える。
このようにすることで、作業者は、ベース部材における閉塞部材の取り付け位置を変更するだけで、閉塞部材の使用状態を所望に切り替えることができる。
【０００８】
また、本発明の第３の態様によれば、前記ベース部材は、前記左側取付部及び前記右側取付部が、高さ方向における中心を基準に対称となるように設けられている。また、前記閉塞部材は、前記左側取付部及び前記右側取付部のいずれかと連結される被取付部（３７）が、高さ方向における中心を基準に対称となるように取り付けられている。
このようにすることで、作業者は、閉塞部材の上下を反転させながら左右の取付位置を付け替えるだけで、閉塞部材の使用状態を切り替えることができる。したがって、作業者の作業負担を軽減することができる。
【０００９】
また、本発明の第４の態様によれば、前記閉塞部材は、ハンドル（４８）を着脱可能なハンドル取付部（３６）を備えている。
このようにすることで、幅方向右側及び幅方向左側の両方に閉塞部材が設けられる場合において、作業者は、いずれの閉塞部材にハンドルを取り付け、扉として機能させるかを所望に選択することができる。
【００１０】
また、本発明の第５の態様によれば、前記ベース部材は、前記内蔵ユニットを幅方向における両方から出し入れ可能に支持するユニット支持部材（８０Ａ、８０Ｂ、８０Ｃ）を更に備える。
このようにすることで、作業者は、ナンバープレート認識装置が左開きタイプの場合、右開きタイプの場合のいずれの場合でも、内蔵ユニットを、ベース部材の左開口、右開口のそれぞれから出し入れすることができる。
【００１１】
また、本発明の第６の態様によれば、前記ユニット支持部材は、幅方向左側及び幅方向右側の両方に、前記内蔵ユニットを固定するためのユニット固定片（８３Ａ、８３Ｂ、８３Ｃ）を有し、前記内蔵ユニットは、幅方向左側から前記ベース部材の内部に挿入された際に、前記ユニット支持部材の幅方向左側に配された前記ユニット固定片に取り付け可能な左取付状態、及び、幅方向右側から前記ベース部材の内部に挿入された際に、前記ユニット支持部材の幅方向右側に配された前記ユニット固定片に取り付け可能な右取付状態のいずれかに切り替え可能とされる。
このようにすることで、作業者は、内蔵ユニットをベース部材の左開口、右開口のいずれかから挿入した場合においても、その側面に設けられたユニット固定片を用いて各内蔵ユニットを容易に固定することができる。
【００１２】
また、本発明の第７の態様によれば、前記内蔵ユニットは、奥行方向手前側に向けて所定の処理を行わない第１内蔵ユニット（Ｐ１）と、奥行方向手前側に向けて所定の処理を行う第２内蔵ユニット（Ｐ２）とを含み、前記第２内蔵ユニットは、前記所定の処理を行うユニット本体の、前記ベース部材に対する向きを変えずに、前記左取付状態、及び、前記右取付状態を切り替え可能とする。
このようにすることで、作業者は、第２内蔵ユニットについて、その処理方向を変更させることなく、第１の使用状態及び第２の使用状態を切り替えることができる。
【００１３】
また、本発明の第８の態様によれば、前記車線処理装置は、前記所定の処理として、前記車線を走行する車両のナンバープレート情報を取得するナンバープレート認識装置（１３）である。
【００１４】
また、本発明の第９の態様によれば、内蔵ユニットは、車線を走行する車両に対して所定の処理を行う車線処理装置の筐体に収容される内蔵ユニットであって、前記筐体の幅方向左側から当該筐体の内部に挿入された際に、前記筐体の幅方向左側に配されたユニット固定片に取り付け可能な左取付状態、及び、前記筐体の幅方向右側から当該筐体の内部に挿入された際に、前記筐体の幅方向右側に配されたユニット固定片に取り付け可能な右取付状態のいずれかに切り替え可能に構成されている。
【発明の効果】
【００１５】
上述の発明の各態様によれば、製造コストを抑えることができる車線処理装置、及び、車線処理装置の内蔵ユニットを提供することができる。
【図面の簡単な説明】
【００１６】
【図１】第１の実施形態に係る料金収受システムの全体構成を示す図である。
【図２】第１の実施形態に係る左開きタイプのナンバープレート認識装置の左斜視図である。
【図３】第１の実施形態に係る左開きタイプのナンバープレート認識装置の右斜視図である。
【図４】第１の実施形態に係る左開きタイプのナンバープレート認識装置を示す図である。
【図５】第１の実施形態に係る左開きタイプのナンバープレート認識装置（開状態）の左側面図である。
【図６】第１の実施形態に係る側板及びカバー板の斜視図である。
【図７】第１の実施形態に係る左開きタイプのハンドル及びロック機構の斜視図である。
【図８】第１の実施形態に係る信号処理ユニットの斜視図である。
【図９】第１の実施形態に係る電源ユニットの斜視図である。
【図１０】第１の実施形態係るカメラユニットの斜視図である。
【図１１】左開きタイプのナンバープレート認識装置及び右開きタイプのナンバープレート認識装置の必要性を説明するための図である。
【図１２】第１の実施形態に係る右開きタイプのナンバープレート認識装置を示す図である。
【図１３】第１の実施形態に係る右開きタイプのナンバープレート認識装置（開状態）の右側面図である。
【図１４】第１の実施形態に係る第１側板の使用状態を変化させる方法を示す説明図である。
【図１５】第１の実施形態に係る右開きタイプのハンドル及びロック機構の斜視図である。
【図１６】第１の実施形態に係る信号処理ユニットの斜視図である。
【図１７】第１の実施形態に係る電源ユニットの斜視図である。
【図１８】第１の実施形態に係るカメラユニットの斜視図である。
【発明を実施するための形態】
【００１７】
＜第１の実施形態＞
以下、第１の実施形態に係るナンバープレート認識装置について、図１〜図１８を参照しながら詳しく説明する。
【００１８】
（料金収受システムの全体構成）
図１は、第１の実施形態に係る料金収受システムの全体構成を示す図である。
図１に示す料金収受システム１は、例えば、有料道路の入口料金所に設置される。図１に示すように、料金収受システム１は、入口料金所において一般道路から有料道路へと続く車線Ｌと、当該車線Ｌの路側に敷設された右側アイランドＩＲ及び左側アイランドＩＬ上に設置されている。
【００１９】
なお、以下の説明では、車線Ｌが延在する方向を「車線方向」とも記載し、車線方向に水平に直交する方向を「車線幅方向」とも記載する。また、入口料金所の車線Ｌの車線方向における一般道路側を車線Ｌの「上流側」とも記載し、車線Ｌの車線方向における有料道路側を車線Ｌの「下流側」とも記載する。車両Ａは、車線Ｌを上流側から下流側に走行する。また、車両Ａが走行する方向を基準に、その右側を「車線幅方向右側」とも記載し、その左側を「車線幅方向左側」とも記載する。
【００２０】
図１に示すように、料金収受システム１は、通行券発行機１Ａと、車種判別装置１Ｂと、とを有してなる。
【００２１】
通行券発行機１Ａは、車両Ａに搭乗する利用者に有料道路の通行券を発行する。通行券発行機１Ａは、車種判別装置１Ｂの下流側において、例えば、右側アイランドＩＲ上に設けられている。通行券には、入口料金所を示す情報の他、車種判別装置１Ｂによって自動的に判別された車両Ａの車種区分等が記録される。
【００２２】
車種判別装置１Ｂは、通行券発行機１Ａの上流側に設置される。車種判別装置１Ｂは、車線Ｌに進入した車両Ａの車種区分を判別する。車種区分とは、利用者から収受すべき料金に対応して規定されるものであって、例えば、「軽／二輪」、「普通車」、「中型車」、「大型車」、「特大車」等に区分される。
車種判別装置１Ｂは、車線Ｌに進入した車両Ａの車両情報を取得し、この車両情報に基づいて車両Ａの車種区分を特定する。本実施形態において、「車両情報」とは、具体的には、車両Ａの車軸数、トレッド、ナンバープレート情報（以下、「ＮＰ情報」とも記載する。）である。なお、ナンバープレート情報とは、ナンバープレートのサイズ、色、ナンバープレートに表記されている分類番号等である。車種区分は、予め、これらの車両情報の組み合わせに関連付けられて規定されている。
【００２３】
車種判別装置１Ｂは、演算処理装置１０と、車両検知器１１と、踏板１２とナンバープレート認識装置１３と、を有している。
【００２４】
演算処理装置１０は、車両検知器１１、踏板１２及びナンバープレート認識装置１３から受け付ける信号に基づいて車両情報を特定する。そして、演算処理装置１０は、特定された車両情報の組み合わせに応じて、車両Ａの車種区分を一意に判別する処理を行う。
【００２５】
車両検知器１１は、車線Ｌの最も上流側に設けられ、主に、車両Ａの車線Ｌへの進入を検知する目的で設置される。車両検知器１１は、左側アイランドＩＬに配置されている投光塔と、右アイランドＩＲに配置されている受光塔と、を有してなる透過型の車両検知器である。車両検知器１１は、投光塔の投光素子から投光された光を受光塔の受光素子が受光した否かに応じて、車両Ａの進入を検知する。
【００２６】
踏板１２は、車線Ｌ上で、車線方向において車両検知器１１と同じ位置に配置されている。上述の演算処理装置１０は、この踏板１２から受け付ける信号に基づいて、車両Ａの車軸数を取得する。具体的には、演算処理装置１０は、演算処理装置１０は、車両検知器１１から車両Ａの存在を示す検知信号を受け付けている間に、踏板１２に荷重がかかった回数を計数し、これを車軸数として取得する。
【００２７】
ナンバープレート認識装置１３は、例えば、右側アイランドＩＲ上であって、車両検知器１１よりも下流側に配置されている。ナンバープレート認識装置１３は、車線Ｌを走行する車両Ａに対して所定の処理を行う車線処理装置の一態様である。具体的には、ナンバープレート認識装置１３は、車両検知器１１からの車両Ａの進入を示す検知信号を受け付けたタイミングで撮影を行い、進入した車両Ａのナンバープレートを含む画像を取得する。そして、ナンバープレート認識装置１３は、取得した画像に所定の画像処理を施すことにより、車両ＡのＮＰ情報を取得する。
図１に示すように、ナンバープレート認識装置１３は、内蔵ユニット（後述）を収容するための筐体１３Ａと、当該筐体１３Ａを支持する支柱１３Ｂとを有してなる。
【００２８】
なお、図１に示す例では、ナンバープレート認識装置１３は、右側アイランドＩＲに設置される例を示しているが、車線やアイランド等の構造的事情により、ナンバープレート認識装置１３は、左側アイランドＩＬに設置される場合もある。
【００２９】
また、第１の実施形態に係る料金収受システム１は、有料道路の入口料金所に設置され、通行券を発行する通行券発行機１Ａを具備するものとして説明したが、他の実施形態においてはこの態様に限定されない。例えば、入口料金所にて均一料金の支払いを求める場合、他の実施形態に係る料金収受システム１は、通行券発行機１Ａに代えて、利用者から、車種区分に応じた料金を収受する料金自動収受機を具備する態様であってもよい。
また、通行券発行機１Ａに代えて料金自動収受機を具備する場合、料金収受システム１は、有料道路の出口料金所に設置されてもよい。
【００３０】
（ナンバープレート認識装置の構造）
図２〜図１０は、第１の実施形態に係る左開きタイプのナンバープレート認識装置の構造を示す図である。
以下の説明においては、図２〜図１０における±Ｘ方向をナンバープレート認識装置１３の奥行方向とも記載し、＋Ｘ方向側を奥行方向手前側、−Ｘ方向を奥行方向奥側とも記載する。また、図２〜図１０における±Ｙ方向をナンバープレート認識装置１３の幅方向とも記載し、＋Ｙ方向を幅方向右側、−Ｙ方向を幅方向左側とも記載する。また、図２〜図１０における±Ｚ方向をナンバープレート認識装置１３の高さ方向とも記載し、＋Ｚ方向を高さ方向上側、−Ｚ方向を高さ方向下側とも記載する。
【００３１】
ナンバープレート認識装置１３は、複数の内蔵ユニットを収容するための筐体１３Ａと、当該筐体１３Ａを支持する支柱１３Ｂとを備えている。
【００３２】
筐体１３Ａは、ベース部材２０と、閉塞部材３１（第１閉塞部材３１Ａ及び第２閉塞部材３１Ｂ）とを備えている。
ベース部材２０は、複数の内蔵ユニット（後述する第１内蔵ユニットＰ１及び第２内蔵ユニットＰ２）を収容可能な空間を形成する。
閉塞部材３１は、ベース部材２０の開口（後述する左開口２６Ｌ及び右開口２６Ｒ）を閉塞するための側板である。閉塞部材３１は、ベース部材２０に対し開閉可能に取り付けられる。この際、閉塞部材３１は、板支持部材４１（第１板支持部材４１Ａ及び第２板支持部材４１Ｂ）を介してベース部材２０に取り付けられる。また、閉塞部材３１は、ベース部材２０の開口を閉状態でロックするためのロック機構５０を有している。
【００３３】
（ベース部材の構造）
ベース部材２０の構造について詳しく説明する。
ベース部材２０は、前板２１、後板２２、天板２３及び底板２４を有している。また、ベース部材２０は、左開口枠２５Ｌ及び右開口枠２５Ｒを有している。ベース部材２０は、左右対称（幅方向における中心を基準に対称）に形成されている。
【００３４】
前板２１、後板２２、天板２３及び底板２４は、筐体１３Ａの内側に、複数の内蔵ユニットを収容可能な空間を形成する板である。前板２１には、撮影用開口２１ａ及び照明用開口２１ｂが形成されている。
左開口枠２５Ｌは、前板２１の左縁（−Ｙ方向側の縁）、後板２２の左縁、天板２３の左縁、及び、底板２４の左縁を接続し、ベース部材２０の左開口２６Ｌを形成する。同様に、右開口枠２５Ｒは、前板２１の右縁（＋Ｙ方向側の縁）、後板２２の右縁、天板２３の右縁、及び、底板２４の右縁を接続し、ベース部材２０の右開口２６Ｒを形成する。左開口２６Ｌ及び右開口２６Ｒは、ナンバープレート認識装置１３の組立作業者が内蔵ユニットにアクセスするために設けられている。
以下、左開口枠２５Ｌ及び右開口枠２５Ｒを総称して開口枠２５とも表記し、左開口２６Ｌ及び右開口２６Ｒを総称して開口２６とも表記する。
【００３５】
ベース部材Ｂは左右対称に形成されていることから、右開口２６Ｒの開口形状と左開口２６Ｌの開口形状とは同一とされている。また、開口２６は、上下対称（高さ方向における中心を基準に対称）な形状とされる。具体的には、開口２６は、例えば、長方形状とされる。なお、開口２６は、上下対称な形状であれば、長方形状でなくてもよく、他の形状であってもよい。
【００３６】
ベース部材２０は、複数の左側取付部２７Ｌと、複数の右側取付部２７Ｒとを備えている。
複数の左側取付部２７Ｌは、ベース部材２０の左開口枠２５Ｌの奥行方向奥側（−Ｘ方向側）の縁に沿って設けられている。複数の左側取付部２７Ｌは、左開口枠２５Ｌの高さ方向における中心線ＣＺで対称となるように配置されている。
複数の右側取付部２７Ｒは、ベース部材２０の右開口枠２５Ｒの奥行方向奥側（−Ｘ方向側）の縁に沿って設けられている。複数の右側取付部２７Ｒは、右開口枠２５Ｒの高さ方向における中心線ＣＺで対称となるように配置されている。
以下、左側取付部２７Ｌ及び右側取付部２７Ｒを総称して取付部２７とも表記する。
【００３７】
（閉塞部材の構造）
閉塞部材３１の構造について詳しく説明する。
第１閉塞部材３１Ａ及び第２閉塞部材３１Ｂは、それぞれ、ベース部材２０の左開口２６Ｌ及び右開口２６Ｒを閉塞可能とする側板である。
第１閉塞部材３１Ａ及び第２閉塞部材３１Ｂは、それぞれ、上下対称な形状とされている。具体的には、第１閉塞部材３１Ａ及び第２閉塞部材３１Ｂは、それぞれ、左開口２６Ｌ及び右開口２６Ｒの形状に合わせて長方形状とされる。
【００３８】
閉塞部材３１は、それぞれ、第１前後縁３２、第２前後縁３３、第１上下縁３４及び第２上下縁３５を有している。第１前後縁３２及び第２前後縁３３は、それぞれ、閉塞部材３１の奥行方向手前側（＋Ｘ方向側）及び奥行方向奥側（−Ｘ方向側）の縁である。また、第１上下縁３４及び第２上下縁３５は、それぞれ、閉塞部材３１の高さ方向上側（＋Ｚ方向側）及び高さ方向下側（−Ｚ方向側）の縁である。
【００３９】
図６に示すように、閉塞部材３１は、ハンドル取付部３６と、複数（２個）の被取付部３７とを有している。
ハンドル取付部３６は、ハンドル４８（図４参照）を着脱可能な接続口である。ハンドル取付部３６は、閉塞部材３１の高さ方向における中心線ＣＺ上に設けられている。
複数の被取付部３７は、閉塞部材３１の第２前後縁３３の近傍に設けられている。図６に示すように、被取付部３７は、閉塞部材３１を貫通する複数のネジ孔３８を有する。２つの被取付部３７は、中心線ＣＺを基準に、上下対称となるように配置されている。
【００４０】
図４、図６に示すように、第１閉塞部材３１Ａ及び第２閉塞部材３１Ｂには、各々の表面を更に覆う第１カバー板４５Ａ、第２カバー板４５Ｂが取り付けられる。第１カバー板４５Ａは、第１閉塞部材３１Ａの表面にネジ等で固定される。また、第２カバー板４５Ｂは、第２閉塞部材３１Ｂの表面にネジ等で固定される。
第１カバー板４５Ａには、第１閉塞部材３１Ａに固定された状態で、第１閉塞部材３１Ａのハンドル取付部３６と対向する位置の周辺が欠けている切り欠き部４６が設けられている。
【００４１】
（板支持部材の構造）
板支持部材４１の構造について詳しく説明する。
複数の板支持部材４１は、閉塞部材３１が開口２６を開閉可能となるように、閉塞部材３１をベース部材２０に対して回転可能に連結する部材である。複数の板支持部材４１は、図１４に示すように、例えば、蝶番である。
【００４２】
蝶番である板支持部材４１は、ピン４２と、ピン４２を回転軸線にして回動可能に連結された２つの蝶番片４３ａ、４３ｂとを有する。蝶番片４３ａ、４３ｂには、それぞれ、ネジ孔４４が形成されている。板支持部材４１は、ピン４２の延在方向の中心を基準にして対称となるように形成されている。
【００４３】
第１板支持部材４１Ａの蝶番片４３ａは、ネジ孔４４及びネジを介して、第１閉塞部材３１Ａの被取付部３７に取り付けられる。また、第１板支持部材４１Ａの蝶番片４３ｂは、ネジ孔４４及びネジを介して、ベース部材２０の左側取付部２７Ｌに取り付けられる。
第２板支持部材４１Ｂの蝶番片４３ａは、ネジ孔４４及びネジを介して、第２閉塞部材３１Ｂの被取付部３７に取り付けられる。また、第２板支持部材４１Ｂの蝶番片４３ｂは、ネジ孔４４及びネジを介して、ベース部材２０の右側取付部２７Ｒに取り付けられる。
【００４４】
以上の通り、図２〜図５に示す例では、第１閉塞部材３１Ａは、第１板支持部材４１Ａを通じてベース部材２０に連結されることで、ベース部材２０の左開口２６Ｌを開閉可能に取り付けられる。また、第２閉塞部材３１Ｂは、第２板支持部材４１Ｂを通じてベース部材２０に連結されることで、ベース部材２０の右開口２６Ｒを開閉可能に取り付けられる。したがって、図２〜図５に示す例では、第１閉塞部材３１Ａは、ベース部材２０の左開口２６Ｌを開閉可能とする使用状態にある。換言すると、第１閉塞部材３１Ａは、幅方向左側（−Ｙ方向側）からの取り扱いを可能とする第１の使用状態にある。また、第２閉塞部材３１Ｂは、ベース部材２０の右開口２６Ｒを開閉可能とする使用状態にある。換言すると、第２閉塞部材３１Ｂは、幅方向右側（＋Ｙ方向側）からの取り扱いを可能とする第２の使用状態にある。
【００４５】
（ロック機構の構造）
ロック機構５０の構造について詳しく説明する。
図７に示すように、第１閉塞部材３１Ａに設けられたロック機構５０は、着脱可能なハンドル４８が装着されて使用される。ロック機構５０は、ハンドル４８が接続され、かつ、ハンドル４８を回転可能に支持するハンドル接続部５１と、ハンドル４８の回転に伴って回転する掛け金５２とを備えている。
掛け金５２は、掛け金５２がベース部材２０の縁に掛かっているロック状態と、掛け金５２がベース部材２０の縁に掛かっていない非ロック状態との間で回転する。図７に示す例では、ハンドル４８を反時計回りに回転させることで、掛け金が反時計回りに回転し、ロック状態から非ロック状態に移行させることができる。また、ハンドル４８を時計回りに回転させることで、掛け金が時計回りに回転し、非ロック状態からロック状態に移行させることができる。
【００４６】
第１閉塞部材３１Ａに固定される第１カバー板４５Ａの切り欠き部４６は、図４に示すように、第１閉塞部材３１Ａに取り付けられるハンドル４８に干渉しないよう形成されている。作業者は、ハンドル４８を把持して、左開口２６Ｌに対して第１閉塞部材３１Ａを開閉動作させることができる。また、作業者は、ハンドル４８を回転操作することで、第１閉塞部材３１Ａをロック状態にすることもできる。よって、第１閉塞部材３１Ａは、左開口２６Ｌに対して開閉可能な扉として機能する。
【００４７】
なお、図７には、第１閉塞部材３１Ａに設けられたロック機構５０を図示しているが、第２閉塞部材３１Ｂにも同等の構造を有するロック機構５０が設けられている。
【００４８】
図４に示すように、第２閉塞部材３１Ｂは、第２閉塞部材３１Ｂに設けられているロック機構５０により閉状態に維持されている。第２閉塞部材３１Ｂに固定されている第２カバー板４５Ｂには第１カバー板４５Ａの切り欠き部４６に相当する切り欠き部が設けられておらず、第２カバー板４５Ｂは、第２閉塞部材３１Ｂのハンドル取付部３６の全体を覆っている。このため、第２閉塞部材３１Ｂに第２カバー板４５Ｂが固定されている状態では、第２閉塞部材３１Ｂのロック機構５０にハンドル４８を接続することができず、第２閉塞部材３１Ｂを開閉動作させることはできない。よって、第２閉塞部材３１Ｂは、右開口２６Ｒに対して扉として機能せず、専ら、右開口２６Ｒを閉塞するだけの（開閉できない）固定板として機能する。
【００４９】
（内蔵ユニット及び支持部材の構造）
内蔵ユニット及び支持部材の構造について詳しく説明する。
図２、図３、図５に示すように、ナンバープレート認識装置１３は、ベース部材２０の内部に、複数の内蔵ユニット、即ち、信号処理ユニット６０Ａ、電源ユニット６０Ｂ、カメラユニット６０Ｃ、及び、２つの照明ユニット６０Ｄを備えている。
２つの照明ユニット６０Ｄは、ベース部材２０の内部空間のうち、最も奥行方向手前側（＋Ｘ方向側）であって、かつ、最も高さ方向下側（−Ｚ方向側）及び高さ方向上側（＋Ｚ方向側）の隅に、それぞれ１つずつ配置されている。
カメラユニット６０Ｃは、ベース部材２０の内部空間のうち、最も奥行方向手前側（＋Ｘ方向側）であって、かつ、高さ方向における中央付近（２つの照明ユニット６０Ｄの間）に配置されている。
電源ユニット６０Ｂは、カメラユニット６０Ｃよりも奥行方向奥側（−Ｘ方向）であって、かつ、高さ方向上側（＋Ｚ方向側）の位置に配置されている。電源ユニット６０Ｂは、信号処理ユニット６０Ａ、カメラユニット６０Ｃ、及び、２つの照明ユニット６０Ｄに電力を供給する機能を有する。
信号処理ユニット６０Ａは、電源ユニット６０Ｂよりも奥行方向奥側（−Ｘ方向）に配置されている。つまり、信号処理ユニット６０Ａは、ベース部材２０内の最も奥行方向奥側に配置されている。この信号処理ユニット６０Ａは、カメラユニット６０Ｃによる撮影で得られた画像データを処理して、この画像処理結果を外部に送信する機能を有する。
【００５０】
以下、上述の内蔵ユニットのうち、奥行方向手前側（＋Ｘ方向側）に向けて所定の処理を行うカメラユニット６０Ｃ及び２つの照明ユニット６０Ｄを「第２内蔵ユニットＰ２」とし、奥行方向手前側に向けて所定の処理を行わない信号処理ユニット６０Ａ及び電源ユニット６０Ｂを「第１内蔵ユニットＰ１」として区別して説明する。
なお、「所定の処理」とは、ナンバープレートを含む画像を取得するための処理であって、具体的には、カメラユニット６０Ｃがその奥行方向手前側（＋Ｘ方向側）に位置する物体（車両）を撮影する処理であり、また、２つの照明ユニット６０Ｄがその奥行方向手前側に位置する物体を照射する処理である。
【００５１】
（信号処理ユニット及びその支持部材の構造）
信号処理ユニット６０Ａ、及び、当該信号処理ユニット６０Ａを支持するユニット支持部材８０Ａについて詳しく説明する。
図８に示すように、ベース部材２０は、信号処理ユニット６０Ａをベース部材２０内で支持するユニット支持部材８０Ａを有する。ユニット支持部材８０Ａは、一対のガイド片８１Ａと、ユニット支持片８２Ａと、２つのユニット固定片８３Ａとを有する。一対のガイド片８１Ａは、奥行方向（±Ｘ方向）に間隔を開けて幅方向（±Ｙ方向）に延在している。ユニット支持片８２Ａは、一対のガイド片８１Ａの間に配置されて、ガイド片８１Ａと同様に幅方向（±Ｙ方向）に延在している。信号処理ユニット６０Ａは、ガイド片８１Ａによって奥行方向（±Ｘ方向）の移動を規制されながら、ユニット支持片８２Ａ上を幅方向（±Ｙ方向）にスライド移動可能に支持される。
２つのユニット固定片８３Ａのうち、一方のユニット固定片８３Ａは、ユニット支持片８２Ａの左端に設けられ、他方のユニット固定片８３Ａは、ユニット支持片８２Ａの右端に設けられる。２つのユニット固定片８３Ａは、それぞれ、奥行方向（±Ｘ方向）に並ぶ複数の固定部８４Ａを有する。各固定部８４Ａは、例えば、ネジ孔である。複数の固定部８４Ａは、ユニット支持部材８０Ａの奥行方向（±Ｘ方向）における中心を基準に、対称となるように配置されている。
【００５２】
図８に示すように、信号処理ユニット６０Ａは、ユニット本体６１Ａと、このユニット本体６１Ａに取り付けられている本体座７１Ａとを有する。ユニット本体６１Ａは、信号処理回路６２Ａと、ユニット筐体６３Ａと、通信インタフェース６７Ａと、避雷器６８Ａと、内部通信ケーブル６９Ａｉとを有する。
通信インタフェース６７Ａは、信号処理回路６２Ａが外部との間で通信するための接続インタフェースである。
ユニット筐体６３Ａは、信号処理回路６２Ａを覆い、物理的に保護するカバーであって、信号処理回路６２Ａが配置される内部空間を形成する。ユニット筐体６３Ａは、信号処理回路６２Ａをこの内部空間内に固定する。ユニット筐体６３Ａは、奥行方向（±Ｘ方向）で互いに対向する第１前後板６４Ａａ及び第２前後板６４Ａｂと、幅方向（±Ｙ方向）で互いに対向する第１側板６６Ａａ及び第２側板６６Ａｂと、を有する。
第１前後板６４Ａａ及び第２前後板６４Ａｂは、避雷器６８Ａがネジ等で取付可能な避雷器取付部６５Ａを有する。避雷器６８Ａは、第１前後板６４Ａａの避雷器取付部６５Ａと第２前後板６４Ａｂの避雷器取付部６５Ａとのうち、一方の避雷器取付部６５Ａに取り付けられている。この避雷器６８Ａには、外部の通信インタフェース６７Ａと接続するための外部通信ケーブル６９Ａｏが接続されている。
【００５３】
本体座７１Ａは、ユニット本体６１Ａを支持する本体支持片７２Ａと、本体支持片７２Ａの幅方向左側（−Ｙ方向）の縁に設けられている被取付片７３Ａとを有する。被取付片７３Ａは、複数の被取付部７４Ａを有する。被取付部７４Ａは、例えば、丸穴である。複数の被取付部７４Ａは、被取付片７３Ａ上に、奥行方向（±Ｘ方向）に複数並べて配置されている。
【００５４】
信号処理ユニット６０Ａがユニット支持部材８０Ａに支持されている状態では、信号処理ユニット６０Ａの本体支持片７２Ａと、ユニット支持部材８０Ａのユニット支持片８２Ａとが高さ方向（±Ｚ方向）で接している。また、この状態では、信号処理ユニット６０Ａの被取付片７３Ａと、ユニット支持部材８０Ａのユニット固定片８３Ａとが幅方向（±Ｙ方向）に接し、被取付部７４Ａ及び固定部８４Ａを介してネジ等によって連結される。
【００５５】
外部通信ケーブル６９Ａｏは、信号処理ユニット６０Ａよりも奥行方向手前側（＋Ｘ方向側）の位置からベース部材２０の外部に延びている。避雷器６８Ａは、ベース部材２０が形成する空間内において引き回される外部信号ケーブルの長さを短くするために、第２前後板６４Ａｂより奥行方向手前側（＋Ｘ方向側）に位置している第１前後板６４Ａａの避雷器取付部６５Ａに取り付けられている。
【００５６】
信号処理ユニット６０Ａは、ユニット支持部材８０Ａの幅方向左側（−Ｙ方向側）から当該ユニット支持部材８０Ａに取り付けられる。この際、作業者は、信号処理ユニット６０Ａを、左開口２６Ｌからベース部材２０の内部に押し込むようにして、幅方向右側（＋Ｙ方向側）にスライド移動させる。
作業者が信号処理ユニット６０Ａを幅方向右側（＋Ｙ方向側）にスライド移動させると、信号処理ユニット６０Ａの被取付片７３Ａがユニット支持部材８０Ａの幅方向左側（−Ｙ方向側）のユニット固定片８３Ａに接する。これにより、信号処理ユニット６０Ａの、更なる幅方向左側（−Ｙ方向側）へのスライド移動が規制される。被取付片７３Ａがユニット固定片８３Ａに接すると、作業者は、複数の被取付部７４Ａと複数の固定部８４Ａとをそれぞれネジ等で連結し、信号処理ユニット６０Ａを固定する。
【００５７】
以上のように、左開きタイプのナンバープレート認識装置１３では、信号処理ユニット６０Ａは、第１閉塞部材３１Ａと同様、幅方向左側（−Ｙ方向側）からの取り扱いを可能とする第１の使用状態にある。
【００５８】
（電源ユニット及びその支持部材の構造）
電源ユニット６０Ｂ、及び、当該電源ユニット６０Ｂを支持するユニット支持部材８０Ｂについて詳しく説明する。
図９に示すように、ベース部材２０は、この電源ユニット６０Ｂをベース部材２０内で支持するユニット支持部材８０Ｂを有する。このユニット支持部材８０Ｂは、信号処理ユニット６０Ａを支持するユニット支持部材８０Ａと同様に、一対のガイド片８１Ｂと、ユニット支持片８２Ｂと、２つのユニット固定片８３Ｂとを有する。一対のガイド片８１Ｂは、奥行方向（±Ｘ方向）に間隔を開けて幅方向（±Ｙ方向）に延在している。ユニット支持片８２Ｂは、一対のガイド片８１Ｂの間に配置されて、ガイド片８１Ｂと同様に幅方向（±Ｙ方向）に延在している。電源ユニット６０Ｂは、ガイド片８１Ｂによって奥行方向（±Ｘ方向）の移動を規制されながら、ユニット支持片８２Ｂ上を幅方向（±Ｙ方向）にスライド移動可能に支持される。
２つのユニット固定片８３Ｂのうち、一方のユニット固定片８３Ｂは、ユニット支持片８２Ｂの左端に設けられ、他方のユニット固定片８３Ｂは、ユニット支持片８２Ｂの右端に設けられる。２つのユニット固定片８３Ｂは、ユニット支持部材８０Ａのユニット固定片８３Ａと同様に、それぞれ、奥行方向（±Ｘ方向）に並ぶ複数の固定部８４Ｂを有する。各固定部８４Ｂは、例えば、ネジ孔である。複数の固定部８４Ｂは、ユニット支持部材８０Ｂの奥行方向（±Ｘ方向）における中心を基準に、対称となるように配置されている。
【００５９】
図９に示すように、電源ユニット６０Ｂは、ユニット本体６１Ｂと、このユニット本体６１Ｂに取り付けられている本体座７１Ｂとを有する。ユニット本体６１Ｂは、電源回路６２Ｂと、電源回路６２Ｂが搭載されるユニット筐体６３Ｂと、ベース部材２０の内部空間で空気を循環させて、電源回路６２Ｂに風を送る送風ファン６７Ｂとを有する。
【００６０】
ユニット筐体６３Ｂは、電源回路６２Ｂを覆い、物理的に保護するカバーであって電源回路６２Ｂが配置される内部空間を形成する。このユニット筐体６３Ｂは、奥行方向（±Ｘ方向）で互いに対向する第１前後板６４Ｂａ及び第２前後板６４Ｂｂと、幅方向（±Ｙ方向）で互いに対向する第１側板６６Ｂａ及び第２側板６６Ｂｂとを有する。第１前後板６４Ｂａ及び第２前後板６４Ｂｂは、送風ファン６７Ｂにより風を流通させる目的で、板面の中央の一部が開口されている。また、第１前後板６４Ｂａ及び第２前後板６４Ｂｂは、送風ファン６７Ｂがネジ等で取付可能なファン取付部６５Ｂを有する。
【００６１】
送風ファン６７Ｂは、ファン本体６８Ｂと、ファン本体６８Ｂを支持するファン支持板６９Ｂと、を有する。図９に示すように、ファン支持板６９Ｂは、第１前後板６４Ｂａのファン取付部６５Ｂに取り付けられている。なお、このファン支持板６９Ｂは、第２前後板６４Ｂｂのファン取付部６５Ｂのいずれにも取り付け可能とされている。
【００６２】
本体座７１Ｂは、ユニット本体６１Ｂを支持する本体支持片７２Ｂと、本体支持片７２Ｂの幅方向左側（−Ｙ方向）の縁に設けられている被取付片７３Ｂとを有する。被取付片７３Ｂは、複数の被取付部７４Ｂを有する。被取付部７４Ｂは、例えば、丸穴である。複数の被取付部７４Ｂは、被取付片７３Ｂ上に、奥行方向（±Ｘ方向）に複数並べて配置されている。
【００６３】
電源ユニット６０Ｂがユニット支持部材８０Ｂに支持されている状態では、電源ユニット６０Ｂの本体支持片７２Ｂと、ユニット支持部材８０Ｂのユニット支持片８２Ｂとが高さ方向（±Ｚ方向）で接している。また、この状態では、電源ユニット６０Ｂの被取付片７３Ｂと、ユニット支持部材８０Ｂのユニット固定片８３Ｂとが幅方向（±Ｙ方向）で接し、被取付部７４Ｂ及び固定部８４Ｂを介してネジ等によって連結される。
【００６４】
電源ユニット６０Ｂは、ユニット支持部材８０Ｂの幅方向左側（−Ｙ方向側）から当該ユニット支持部材８０Ｂに取り付けられる。この際、作業者は、電源ユニット６０Ｂを、左開口２６Ｌからベース部材２０の内部に押し込むようにして、幅方向右側（＋Ｙ方向側）にスライド移動させる。
作業者が電源ユニット６０Ｂを幅方向右側（＋Ｙ方向側）にスライド移動させると、電源ユニット６０Ｂの被取付片７３Ｂがユニット支持部材８０Ｂの幅方向左側（−Ｙ方向側）に設けられたユニット固定片８３Ｂに接する。これにより、電源ユニット６０Ｂの、更なる幅方向左側（−Ｙ方向側）へのスライド移動が規制される。被取付片７３Ｂがユニット固定片８３Ｂに接すると、作業者は、複数の被取付部７４Ｂと複数の固定部８４Ｂとをそれぞれネジ等で連結し、電源ユニット６０Ｂを固定する。
【００６５】
以上のように、左開きタイプのナンバープレート認識装置１３では、電源ユニット６０Ｂは、第１閉塞部材３１Ａ及び信号処理ユニット６０Ａと同様に、幅方向左側（−Ｙ方向側）からの取り扱いを可能とする第１の使用状態にある。
【００６６】
（カメラユニット及びその支持部材の構造）
カメラユニット６０Ｃ、及び、当該カメラユニット６０Ｃを支持するユニット支持部材８０Ｃについて詳しく説明する。
図１０に示すように、ベース部材２０は、カメラユニット６０Ｃをベース部材２０内で支持するユニット支持部材８０Ｃを有する。ユニット支持部材８０Ｃは、信号処理ユニット６０Ａを支持するユニット支持部材８０Ａや電源ユニット６０Ｂを支持するユニット支持部材８０Ｂと同様に、一対のガイド片８１Ｃと、ユニット支持片８２Ｃと、２つのユニット固定片８３Ｃとを有する。一対のガイド片８１Ｃは、奥行方向（±Ｘ方向）に間隔を開けて幅方向（±Ｙ方向）に延在している。ユニット支持片８２Ｃは、一対のガイド片８１Ｃの間に配置されて、幅方向（±Ｙ方向）に延在している。カメラユニット６０Ｃは、ガイド片８１Ｃによって奥行方向（±Ｘ方向）の移動を規制されながら、ユニット支持片８２Ｃ上を幅方向（±Ｙ方向）にスライド移動可能に支持される。
２つのユニット固定片８３Ｃのうち、一方のユニット固定片８３Ｃは、ユニット支持片８２Ｃの左端に設けられ、他方のユニット固定片８３Ｃは、ユニット支持片８２Ｃの右端に設けられる。２つのユニット固定片８３Ｃは、ユニット支持部材８０Ａ、８０Ｂのユニット固定片８３Ａ、８３Ｂと同様に、それぞれ、奥行方向（±Ｘ方向）に並ぶ複数の固定部８４Ｃを有する。各固定部８４Ｃは、例えば、ネジ孔である。複数の固定部８４Ｃは、ユニット支持部材８０Ｃの奥行方向（±Ｘ方向）における中心を基準に、対称となるように配置されている。
【００６７】
カメラユニット６０Ｃは、ユニット本体６１Ｃと、このユニット本体６１Ｃに取り付けられている本体座７１Ｃとを有する。ユニット本体６１Ｃは、カメラ６２Ｃと、カメラ台６３Ｃとを有する。カメラ６２Ｃは、カメラ台６３Ｃの上に取り付けられている。カメラ６２Ｃは、光軸が＋Ｘ方向に一致するように配置されている。
【００６８】
本体座７１Ｃは、ユニット本体６１Ｃを支持する本体支持片７２Ｃと、本体支持片７２Ｃの幅方向左側（−Ｙ方向）の縁に設けられている被取付片７３Ｃとを有する。被取付片７３Ｃは、複数の被取付部７４Ｃを有する。被取付部７４Ｃは、例えば、丸穴である。複数の被取付部７４Ｃは、奥行方向（±Ｘ方向）に複数並べて配置されている。
図１０に示すように、本体座７１Ｃは、被取付片７３Ｃがユニット本体６１Ｃの幅方向左側（−Ｙ方向側）に位置するように、ユニット本体６１Ｃに取り付けられている。なお、後述するように、この本体座７１Ｃは、被取付片７３Ｃがユニット本体６１Ｃの幅方向左側（−Ｙ方向側）に配置される左取付状態、及び、被取付片７３Ｃがユニット本体６１Ｃの幅方向右側（＋Ｙ方向側）に配置される右取付状態のいずれにも付け替え可能とされている。
【００６９】
カメラユニット６０Ｃがユニット支持部材８０Ｃに支持されている状態では、カメラ６２Ｃは、奥行方向手前側（＋Ｘ方向側）の物体を撮影することができる。この状態では、カメラユニット６０Ｃの本体支持片７２Ｃと、ユニット支持部材８０Ｃのユニット支持片８２Ｃとが高さ方向で接している。また、この状態では、カメラユニット６０Ｃの被取付片７３Ｃと、ユニット支持部材８０Ｃのユニット固定片８３Ｃとが幅方向（±Ｙ方向）で接し、被取付部７４Ｃ及び固定部８４Ｃを介してネジ等によって連結される。
【００７０】
以上のように、左開きタイプのナンバープレート認識装置１３では、本体座７１Ｃは、被取付片７３Ｃがユニット本体６１Ｃの幅方向左側（−Ｙ方向側）に配置されている左取付状態にある。
【００７１】
カメラユニット６０Ｃは、ユニット支持部材８０Ｃの幅方向左側（−Ｙ方向側）から当該ユニット支持部材８０Ｃに取り付けられる。この際、作業者は、カメラユニット６０Ｃを、左開口２６Ｌからベース部材２０の内部に押し込むようにして、幅方向右側（＋Ｙ方向側）にスライド移動させる。
作業者がカメラユニット６０Ｃを幅方向右側（＋Ｙ方向側）にスライド移動させると、カメラユニット６０Ｃの被取付片７３Ｃがユニット支持部材８０Ｃの幅方向左側（−Ｙ方向側）に設けられたユニット固定片８３Ｃに接する。これにより、カメラユニット６０Ｃの、更なる幅方向左側（−Ｙ方向側）へのスライド移動が規制される。被取付片７３Ｃがユニット固定片８３Ｃに接すると、作業者は、複数の被取付部７４Ｃと複数の固定部８４Ｃとをそれぞれネジ等で連結し、カメラユニット６０Ｃを固定する。
【００７２】
以上のように、左開きタイプのナンバープレート認識装置１３では、カメラユニット６０Ｃは、第１閉塞部材３１Ａ、信号処理ユニット６０Ａ及び電源ユニット６０Ｂと同様に、幅方向左側（−Ｙ方向側）からの取り扱いを可能とする第１の使用状態にある。
なお、第１の使用状態にあるカメラユニット６０Ｃは、ユニット支持部材８０Ｃに連結された際、カメラ６２Ｃの光軸がユニット支持部材８０Ｃの幅方向（±Ｙ方向）における中心に位置するように構成されている。
【００７３】
（照明ユニット及びその支持部材の構造）
照明ユニット６０Ｄをベース部材２０内で支持するユニット支持部材については、図１０に示した、カメラユニット６０Ｃを支持するユニット支持部材８０Ｃと同様の構成である。即ち、照明ユニット６０Ｄを支持するユニット支持部材は、ユニット支持部材８０Ｃと同様に、一対のガイド片と、ユニット支持片と、２つのユニット固定片とを有する。
照明ユニット６０Ｄを支持するユニット支持部材については図示及び詳細な説明を省略する。
【００７４】
照明ユニット６０Ｄは、図１０に示した、カメラユニット６０Ｃと同様に、ユニット本体であるライトと、このライトに取り付けられている本体座とを有する。
【００７５】
照明ユニット６０Ｄの本体座は、カメラユニット６０Ｃの本体座７１Ｃと同様の構成である。即ち、照明ユニット６０Ｄの本体座は、本体支持片と、本体支持片における幅方向左側（−Ｙ方向）の縁に設けられている被取付片とを有する。照明ユニット６０Ｄの本体座は、その被取付片がユニット本体（ライト）の幅方向左側（−Ｙ方向側）に位置するように、ユニット本体に取り付けられている。なお、この本体座も、後述するように、カメラユニット６０Ｃの本体座７１Ｃと同様に、被取付片がユニット本体（ライト）の幅方向左側（−Ｙ方向側）に配置される左取付状態、及び、被取付片がユニット本体の幅方向右側（＋Ｙ方向側）に配置される右取付状態のいずれにも付け替え可能とされている。
【００７６】
以上のように、左開きタイプのナンバープレート認識装置１３では、照明ユニット６０Ｄは、第１閉塞部材３１Ａ、信号処理ユニット６０Ａ及び電源ユニット６０Ｂと同様に、幅方向左側（−Ｙ方向側）からの取り扱いを可能とする第１の使用状態にある。
【００７７】
以上に説明した通り、第１閉塞部材３１Ａと、各内蔵ユニット（信号処理ユニット６０Ａ、電源ユニット６０Ｂ、カメラユニット６０Ｃ及び照明ユニット６０Ｄ）とが第１の使用状態にある場合、作業者は、左開口２６Ｌからベース部材２０内の全ての内蔵ユニットにアクセスし、取り扱うことができる。したがって、この場合、本実施形態に係るナンバープレート認識装置１３は、幅方向左側（−Ｙ方向側）から内蔵ユニットの取り扱いを可能とする、左開きタイプのナンバープレート認識装置となる。
【００７８】
ベース部材２０内の全ての内蔵ユニットが第１の使用状態にある場合、送風ファン６７Ｂの幅方向左側（−Ｙ方向側）、及び、カメラユニット６０Ｃの幅方向左側には、図２に示すように、パネル４９が配置される。このパネル４９は、送風ファン６７Ｂからの空気の流れをベース部材２０内の内部空間で効率よく流通させるために設けられている。なお、図５においては、パネル４９の図示を省略している。
パネル４９は、自由に取り外し可能とされている。左開口２６Ｌを介して送風ファン６７Ｂ及びカメラユニット６０Ｃへアクセスする場合、作業者は、このパネル４９を取り外してから、送風ファン６７Ｂ及びカメラユニット６０Ｃへアクセスする。
【００７９】
（左開きタイプ及び右開きタイプの必要性について）
図１１は、左開きタイプのナンバープレート認識装置及び右開きタイプのナンバープレート認識装置の必要性を説明するための図である。
図１１に示すように、ナンバープレート認識装置１３が右側アイランドＩＲに配置されている場合、例えば、作業者の安全上の理由から、ベース部材２０の幅方向左側（−Ｙ方向側）の側板が開く左開きタイプの方が好ましい場合がある（図１１（ａ）参照）。しかしながら、ナンバープレート認識装置１３は、アイランド上に設置された他の装置や構造物（例えば、構造物Ｋ）等との位置関係から、ベース部材２０の幅方向右側（＋Ｙ方向側）の側板が開く右開きタイプの方が好ましい場合もある（図１１（ｂ）参照）。
このような事情に鑑みて、本実施形態に係るナンバープレート認識装置１３は、左開きタイプの状態から右開きタイプの状態に容易に変更することができる。
【００８０】
（左開きタイプから右開きタイプへの変更作業）
図１２〜図１８は、ナンバープレート認識装置を左開きタイプから右開きタイプに変更する際の作業工程を説明するための図である。
以下、図１２〜図１８を参照しながら、ナンバープレート認識装置１３を左開きタイプから右開きタイプに変更する際の作業工程、及び、変更後（右開きタイプ）のナンバープレート認識装置１３の構造について説明する。
【００８１】
左開きタイプのナンバープレート認識装置１３を右開きタイプに変更する場合、図１２及び図１３に示すように、作業者は、第１閉塞部材３１Ａを、ベース部材２０の幅方向左側（−Ｙ方向側）から、ベース部材２０の幅方向右側（＋Ｙ方向側）に付け替える。また、作業者は、第２閉塞部材３１Ｂを、ベース部材２０の幅方向右側（＋Ｙ方向側）から、ベース部材２０の幅方向左側（−Ｙ方向側）に付け替える。つまり、作業者は、第１閉塞部材３１Ａと第２閉塞部材３１Ｂとを入れ替える。
【００８２】
（第１閉塞部材と第２閉塞部材との入れ替え作業）
第１閉塞部材３１Ａと第２閉塞部材３１Ｂとを入れ替える作業について詳しく説明する。
【００８３】
第１閉塞部材３１Ａをベース部材２０の幅方向左側（−Ｙ方向側）から幅方向右側（＋Ｙ方向側）に付け替える際、図１４に示すように、作業者は、第１閉塞部材３１Ａを高さ方向に反転させる。即ち、作業者は、第１閉塞部材３１Ａの第１上下縁３４が第２上下縁３５に対して下側になるようにする。この結果、第１閉塞部材３１Ａの第２前後縁３３は、第１前後縁３２に対して奥行方向奥側（−Ｘ方向側）に位置する。この際、第１板支持部材４１Ａは、第１閉塞部材３１Ａの被取付部３７と、ベース部材２０の右側取付部２７Ｒとを連結する。
【００８４】
ここで、上述した通り、本実施形態に係る複数の左側取付部２７Ｌ及び右側取付部２７Ｒは、それぞれ、左開口枠２５Ｌ及び右開口枠２５Ｒの高さ方向における中心線ＣＺを基準に、上下対称に配置されている。また、被取付部３７は、第１閉塞部材３１Ａの高さ方向における中心線ＣＺを基準に、上下対称となるように配置されている。したがって、第１閉塞部材３１Ａを付け替える際に、当該第１閉塞部材３１Ａを高さ方向に反転させたとしても、ベース部材２０の幅方向右側（＋Ｙ方向側）に設けられている複数の右側取付部２７Ｒのそれぞれに、第１閉塞部材３１Ａに設けられている複数の被取付部３７を合わせることができる。そして、複数の右側取付部２７Ｒ及び被取付部３７の対のそれぞれを、複数の第１板支持部材４１Ａで連結すると、第１閉塞部材３１Ａは、ベース部材２０の右開口２６Ｒを開閉可能となる。即ち、第１閉塞部材３１Ａは、幅方向右側（＋Ｙ方向側）から取り扱い可能な第２の使用状態になる。
【００８５】
また、第２閉塞部材３１Ｂをベース部材２０の幅方向右側（＋Ｙ方向側）から幅方向左側（−Ｙ方向側）に付け替える際、作業者は、第２閉塞部材３１Ｂを高さ方向に反転させる。即ち、作業者は、第２閉塞部材３１Ｂの第１上下縁３４が第２上下縁３５に対して下側になるようにする。この結果、第２閉塞部材３１Ｂの第２前後縁３３は、第１前後縁３２に対して奥行方向奥側（−Ｘ方向側）に位置する。この際、第２板支持部材４１Ｂは、第２閉塞部材３１Ｂの被取付部３７と、ベース部材２０の左側取付部２７Ｌとを連結する。
【００８６】
第２閉塞部材３１Ｂを付け替える際に、当該第２閉塞部材３１Ｂを高さ方向に反転させたとしても、ベース部材２０の幅方向左側（−Ｙ方向側）に設けられている複数の左側取付部２７Ｌのそれぞれに、第２閉塞部材３１Ｂに設けられている複数の被取付部３７を合わせることができる。そして、複数の左側取付部２７Ｌ及び被取付部３７の対のそれぞれを、第２板支持部材４１Ｂで連結すると、第２閉塞部材３１Ｂは、ベース部材２０の左開口２６Ｌを開閉可能となる。即ち、第２閉塞部材３１Ｂは、幅方向左側（−Ｙ方向側）から取り扱い可能な第１の使用状態になる。
【００８７】
第１閉塞部材３１Ａを第２の使用状態に切り替える場合、図１５に示すように、この第１閉塞部材３１Ａのハンドル取付部３６には、掛け金５２をロック状態から非ロック状態へ変える際の掛け金５２の回転方向が時計回り方向であるロック機構５０ｂを取り付ける。即ち、作業者は、左開きタイプのナンバープレート認識装置１３において第２の使用状態にあった第２閉塞部材３１Ｂの第２ロック機構５０ｂを、第１閉塞部材３１Ａに付け替える。第２ロック機構５０ｂにはハンドル４８が接続される。第１閉塞部材３１Ａに固定される第１カバー板４５Ａの切り欠き部４６は、第１閉塞部材３１Ａに取り付けられているハンドル４８に干渉しないよう形成されている。作業者は、ハンドル４８を把持して、右開口２６Ｒに対して第１閉塞部材３１Ａを開閉動作させることができる。また、作業者は、ハンドル４８を回転操作することで、第１閉塞部材３１Ａをロック状態にすることもできる。よって、第１閉塞部材３１Ａは、右開口２６Ｒに対して開閉可能な扉として機能する。
【００８８】
また、第２閉塞部材３１Ｂを第１の使用状態に切り替える場合、この第２閉塞部材３１Ｂのハンドル取付部３６には、掛け金５２をロック状態から非ロック状態へ変える際の掛け金５２の回転方向が反時計回り方向であるロック機構５０ａを取り付ける。即ち、作業者は、左開きタイプのナンバープレート認識装置１３において第１の使用状態にあった第１閉塞部材３１Ａの第１ロック機構５０ａを、第２閉塞部材３１Ｂに付け替える。第２閉塞部材３１Ｂに固定される第２カバー板４５Ｂには、第１カバー板４５Ａの切り欠き部４６に相当する切り欠き部は設けられていない。したがって、第２閉塞部材３１Ｂの第１ロック機構５０ａにはハンドル４８を接続することができず、第２閉塞部材３１Ｂを開閉動作させることはできない。よって、第２閉塞部材３１Ｂは、左開口２６Ｌに対して扉として機能せず、専ら、左開口２６Ｌを閉塞するだけの（開閉できない）固定板として機能する。
【００８９】
（内蔵ユニットの変更作業）
各内蔵ユニットに対する変更作業について詳しく説明する。
第１閉塞部材３１Ａが第２の状態に切り替えられた場合、これに併せて、ベース部材２０内の全ての内蔵ユニットを、幅方向右側（＋Ｙ方向側）から作業者が取り扱い可能な第２の使用状態に切り替える必要がある。
【００９０】
（信号処理ユニットの変更作業）
信号処理ユニット６０Ａを第１の使用状態から第２の使用状態に変更する場合、図１６に示すように、作業者は、信号処理ユニット６０ＡをＺ軸線周りに半回転させる。この結果、信号処理ユニット６０Ａにおけるユニット筐体６３Ａの第２前後板６４Ａｂは、第１前後板６４Ａａよりも奥行方向手前側（＋Ｘ方向側）に位置する。また、ユニット筐体６３Ａの第１側板６６Ａａは、第２側板６６Ａｂよりも幅方向右側（＋Ｙ方向側）に位置する。更に、信号処理ユニット６０Ａにおける本体座７１Ａの被取付片７３Ａは、本体支持片７２Ａの幅方向右側（＋Ｙ方向側）の縁に設けられた状態になる。
作業者は、ベース部材２０内における外部通信ケーブル６９Ａｏの長さを短くするため、第１前後板６４Ａａより奥行方向手前側（＋Ｘ方向側）に位置している第２前後板６４Ａｂの避雷器取付部６５Ａに、避雷器６８Ａを付け替える。
【００９１】
図１６に示すように、第２の使用状態にある信号処理ユニット６０Ａは、ユニット支持部材８０Ａの幅方向右側（＋Ｙ方向側）から当該ユニット支持部材８０Ａに取り付けられる。この際、作業者は、信号処理ユニット６０Ａを、右開口２６Ｒからベース部材２０の内部に押し込むようにして、幅方向左側（−Ｙ方向側）にスライド移動させる。
作業者が信号処理ユニット６０Ａを幅方向左側（−Ｙ方向側）にスライド移動させると、信号処理ユニット６０Ａの被取付片７３Ａがユニット支持部材８０Ａの幅方向右側（＋Ｙ方向側）のユニット固定片８３Ａに接する。これにより、信号処理ユニット６０Ａの、更なる幅方向左側（−Ｙ方向側）へのスライド移動が規制される。被取付片７３Ａがユニット固定片８３Ａに接すると、作業者は、複数の被取付部７４Ａと複数の固定部８４Ａとをそれぞれネジ等で連結し、信号処理ユニット６０Ａを固定する。
【００９２】
以上の通り、左開きタイプのナンバープレート認識装置１３を右開きタイプに変更する際、作業者は、信号処理ユニット６０Ａを、幅方向左側（−Ｙ方向側）から取り扱い可能な第１の使用状態から、幅方向右側（＋Ｙ方向側）から取り扱い可能な第２の使用状態に変更することができる。
【００９３】
（電源ユニットの変更作業）
電源ユニット６０Ｂを第１の使用状態から第２の使用状態に変更する場合、図１７に示すように、作業者は、電源ユニット６０ＢをＺ軸線周りに半回転させる。この結果、電源ユニット６０Ｂにおけるユニット筐体６３Ｂの第２前後板６４Ｂｂは、第１前後板６４Ｂａよりも奥行方向手前側（＋Ｘ方向側）に位置する。また、ユニット筐体６３Ｂの第１側板６６Ｂａは、第２側板６６Ｂｂよりも幅方向右側（＋Ｙ方向側）に位置する。更に、電源ユニット６０Ｂにおける本体座７１Ｂの被取付片７３Ｂは、本体支持片７２Ｂの幅方向右側（＋Ｙ方向側）の縁に設けられた状態になる。
なお、作業者は、第１前後板６４Ｂａより奥行方向手前側（＋Ｘ方向側）に位置している第２前後板６４Ｂｂのファン取付部６５Ｂに送風ファン６７Ｂを付け替える。
【００９４】
図１７に示すように、第２の使用状態にある電源ユニット６０Ｂは、ユニット支持部材８０Ｂの幅方向右側（＋Ｙ方向側）から当該ユニット支持部材８０Ｂに取り付けられる。この際、作業者は、電源ユニット６０Ｂを、右開口２６Ｒからベース部材２０の内部に押し込むようにして、幅方向左側（−Ｙ方向側）にスライド移動させる。
作業者が電源ユニット６０Ｂを幅方向左側（−Ｙ方向側）にスライド移動させると、電源ユニット６０Ｂの被取付片７３Ｂがユニット支持部材８０Ｂの幅方向右側（＋Ｙ方向側）のユニット固定片８３Ｂに接する。これにより、電源ユニット６０Ｂの、更なる幅方向左側（−Ｙ方向側）へのスライド移動が規制される。被取付片７３Ｂがユニット固定片８３Ｂに接すると、作業者は、複数の被取付部７４Ｂと複数の固定部８４Ｂとをそれぞれネジ等で連結し、電源ユニット６０Ｂを固定する。
【００９５】
以上の通り、左開きタイプのナンバープレート認識装置１３を右開きタイプに変更する際、作業者は、電源ユニット６０Ｂを、幅方向左側（−Ｙ方向側）から取り扱い可能な第１の使用状態から、幅方向右側（＋Ｙ方向側）から取り扱い可能な第２の使用状態に変更することができる。
【００９６】
（カメラユニットの変更作業）
カメラユニット６０Ｃを第１の使用状態から第２の使用状態に変更する場合、図１８に示すように、作業者は、カメラ６２Ｃを含むユニット本体６１Ｃの向き（カメラ６２Ｃの撮影方向）を変更することなく本体座７１Ｃのみを半回転させて、被取付片７３Ｃがユニット本体６１Ｃの幅方向右側（＋Ｙ方向側）に配置されている状態にする。即ち、作業者は、本体座７１Ｃを左取付状態から右取付状態に変更する。
【００９７】
図１８に示すように、第２の使用状態にあるカメラユニット６０Ｃは、ユニット支持部材８０Ｃの幅方向右側（＋Ｙ方向側）から当該ユニット支持部材８０Ｃに取り付けられる。この際、作業者は、カメラユニット６０Ｃを、右開口２６Ｒからベース部材２０の内部に押し込むようにして、幅方向左側（−Ｙ方向側）にスライド移動させる。
作業者がカメラユニット６０Ｃを幅方向左側（−Ｙ方向側）にスライド移動させると、カメラユニット６０Ｃの被取付片７３Ｃがユニット支持部材８０Ｃの幅方向右側（＋Ｙ方向側）のユニット固定片８３Ｃに接する。これにより、カメラユニット６０Ｃの、更なる幅方向左側（−Ｙ方向側）へのスライド移動が規制される。被取付片７３Ｃがユニット固定片８３Ｃに接すると、作業者は、複数の被取付部７４Ｃと複数の固定部８４Ｃとをそれぞれネジ等で連結し、カメラユニット６０Ｃを固定する。
なお、第２の使用状態にあるカメラユニット６０Ｃは、ユニット支持部材８０Ｃに連結された際に、カメラ６２Ｃの光軸がユニット支持部材８０Ｃの幅方向（±Ｙ方向）における中心に位置するように構成されている。すなわち、カメラユニット６０Ｃは、第１の使用状態にあって幅方向左側から取り付けられる場合も、第２の使用状態にあって幅方向右側から取り付けられる場合も、カメラ６２Ｃの光軸がユニット支持部材８０Ｃの幅方向における中心に位置するように構成される。このようにすることで、ナンバープレート認識装置１３のタイプ（左開きタイプ、右開きタイプ）を変更した際に、カメラ６２Ｃの光軸の幅方向（±Ｙ方向）における位置が変わってしまうことを防止することができる。
【００９８】
（照明ユニットの変更作業）
照明ユニット６０Ｄを第１の使用状態から第２の使用状態に変更する作業は、カメラユニット６０Ｃを第１の使用状態から第２の使用状態に変更する作業と同様であるため、図示を省略する。
照明ユニット６０Ｄを第１の使用状態から第２の使用状態に変更する場合、作業者は、ライトを含むユニット本体の向き（ライトの照射方向）を変更することなく、その本体座のみを半回転させて、被取付片がユニット本体の幅方向右側（＋Ｙ方向側）に配置されている状態にする。即ち、作業者は、照明ユニット６０Ｄの本体座を左取付状態から右取付状態に変更する。
【００９９】
第２の使用状態にある照明ユニット６０Ｄは、照明ユニット６０Ｄを支持するユニット支持部材の幅方向右側（＋Ｙ方向側）から当該ユニット支持部材に取り付けられる。この際、作業者は、照明ユニット６０Ｄを、右開口２６Ｒからベース部材２０の内部に押し込むようにして、幅方向左側（−Ｙ方向側）にスライド移動させる。
作業者が照明ユニット６０Ｄを幅方向左側（−Ｙ方向側）にスライド移動させると、照明ユニット６０Ｄの被取付片がユニット支持部材の幅方向右側（＋Ｙ方向側）のユニット固定片に接する。これにより、照明ユニット６０Ｄの、更なる幅方向左側（−Ｙ方向側）へのスライド移動が規制される。照明ユニット６０Ｄの被取付片がそのユニット支持部材のユニット固定片に接すると、作業者は、複数の被取付部と複数の固定部とをそれぞれネジ等で連結し、照明ユニット６０Ｄを固定する。
なお、照明ユニット６０Ｄも、カメラユニット６０Ｃと同様に、第１の使用状態にあって幅方向左側から取り付けられる場合、及び、第２の使用状態にあって幅方向右側から取り付けられる場合のいずれであっても、ユニット本体であるライトの幅方向（±Ｙ方向）における中心がユニット支持部材の幅方向における中心に位置するように構成される。このようにすることで、ナンバープレート認識装置１３のタイプ（左開きタイプ、右開きタイプ）を変更した際に、ライトの幅方向における位置が変わってしまうことを防止することができる。
【０１００】
（作用、効果）
以上の通り、第１の実施形態に係るナンバープレート認識装置１３によれば、作業者は、ベース部材２０の開口２６を開閉する閉塞部材３１について、ベース部材２０の幅方向左側（−Ｙ方向側）からの取り扱いを可能とする第１の使用状態と、ベース部材２０の幅方向右側（＋Ｙ方向側）からの取り扱いを可能とする第２の使用状態とを自由に切り替えることができる。これにより、作業者は、アイランド上における設置スペース等の状況に応じて、ナンバープレート認識装置１３を左開きタイプとするか、右開きタイプとするかを柔軟に変更することができる。
そして、このようにすることで、ナンバープレート認識装置の製造者は、右開きタイプのナンバープレート認識装置、及び、左開きタイプのナンバープレート認識装置を専用品として作り分ける必要がない。そのため、部品コストが抑えられ、ナンバープレート認識装置の製造コストを抑えることができる。
【０１０１】
また、第１の実施形態に係るナンバープレート認識装置１３によれば、ベース部材２０は、閉塞部材３１を第１の使用状態で用いる場合に、当該閉塞部材３１を取り付けるための左側取付部２７Ｌと、閉塞部材３１を第２の使用状態で用いる場合に、当該閉塞部材３１を取り付けるための右側取付部２７Ｒと、を備える。
このようにすることで、作業者は、閉塞部材３１の取り付け位置を変更するだけで、閉塞部材３１の使用状態を所望に切り替えることができる。
【０１０２】
また、第１の実施形態に係るナンバープレート認識装置１３によれば、ベース部材２０は、左側取付部２７Ｌ及び右側取付部２７Ｒが、高さ方向における中心を基準に対称となるように設けられている。そして、閉塞部材３１は、左側取付部２７Ｌ及び右側取付部２７Ｒのいずれかと連結される被取付部３７が、高さ方向における中心を基準に対称となるように取り付けられている。
このようにすることで、作業者は、閉塞部材３１の上下を反転させながら左右の取付位置を付け替えるだけで、閉塞部材３１の使用状態を切り替えることができる。これにより、作業者の作業負担を軽減することができる。
【０１０３】
また、第１の実施形態に係るナンバープレート認識装置１３によれば、閉塞部材３１は、ハンドル４８を着脱可能なハンドル取付部３６を備えている。
このようにすることで、幅方向右側（＋Ｙ方向側）及び方向左側（−Ｙ方向側）の両方に閉塞部材３１が設けられる場合において、作業者は、いずれの閉塞部材３１にハンドル４８を取り付けるか、つまり、いずれの閉塞部材３１を扉として機能させるかを所望に選択することができる。
【０１０４】
また、第１の実施形態に係るナンバープレート認識装置１３によれば、ベース部材２０は、内蔵ユニット（第１内蔵ユニットＰ１、第２内蔵ユニットＰ２）を幅方向（±Ｙ方向）における両方から出し入れ可能に支持するユニット支持部材８０Ａ、８０Ｂ、８０Ｃを更に備える。
このようにすることで、作業者は、ナンバープレート認識装置１３が左開きタイプにある場合、右開きタイプにある場合のいずれの場合でも、内蔵ユニットを、左開口２６Ｌ、右開口２６Ｒのそれぞれから出し入れすることができる。
【０１０５】
また、第１の実施形態に係るナンバープレート認識装置１３によれば、ユニット支持部材８０Ａ、８０Ｂ、８０Ｃは、幅方向左側（−Ｙ方向側）及び幅方向右側（＋Ｙ方向側）の縁の両方に、内蔵ユニットを固定するためのユニット固定片８３Ａ、８３Ｂ、８３Ｃを有している。そして、内蔵ユニット（第１内蔵ユニットＰ１、第２内蔵ユニットＰ２）は、幅方向左側からベース部材２０の内部に挿入された際に、ユニット支持部材８０Ａ、８０Ｂ、８０Ｃの幅方向左側に配されたユニット固定片８３Ａ、８３Ｂ、８３Ｃに取り付け可能な左取付状態、及び、幅方向右側からベース部材２０の内部に挿入された際に、ユニット支持部材８０Ａ、８０Ｂ、８０Ｃの幅方向右側に配されたユニット固定片８３Ａ、８３Ｂ、８３Ｃに取り付け可能な右取付状態のいずれかに切り替え可能とされる。
このようにすることで、作業者は、内蔵ユニットを左開口２６Ｌ、右開口２６Ｒのいずれかから挿入した場合においても、その側面に設けられたユニット固定片８３Ａ、８３Ｂ、８３Ｃを用いて各内蔵ユニットを容易に固定することができる。
【０１０６】
また、第１の実施形態に係るナンバープレート認識装置１３によれば、内蔵ユニットは、奥行方向手前側に向けて所定の処理を行わない第１内蔵ユニットＰ１と、奥行方向手前側に向けて所定の処理を行う第２内蔵ユニットＰ２とを含む。そして、第２内蔵ユニットＰ２は、所定の処理を行うユニット本体６１Ｃの、ベース部材２０に対する向きを変えることなく、左取付状態及び右取付状態を切り替え可能とする。
このようにすることで、例えば、カメラユニット６０Ｃ（照明ユニット６０Ｄ）について、第１の使用状態及び第２の使用状態を切り替える際に、その撮影方向（照射方向）を変更させずに済む。
【０１０７】
なお、本実施形態においては、車線処理装置の一態様として、ナンバープレート認識装置１３について詳しく説明したが、他の実施形態においてはこの態様に限定されない。即ち、筐体を構成するベース部材及び閉塞部材について、ベース部材の幅方向左側からの取り扱いを可能とする第１の使用状態と、ベース部材の幅方向右側からの取り扱いを可能とする第２の使用状態とを自由に切り替え可能とすることは、ナンバープレート認識装置以外の車線処理装置にも適用可能であり、第１の実施形態と同様の作用、効果を奏する。
【０１０８】
第１の実施形態では、左開きタイプと右開きタイプとを入れ替える際に、作業者は、第１閉塞部材３１Ａ及び第２閉塞部材３１Ｂを高さ方向に反転させながら入れ替えることを説明した（図１４参照）。しかし、他の実施形態においてはこの態様に限定されない。
他の実施形態に係るナンバープレート認識装置１３においては、作業者は、例えば以下のような手順で左開きタイプと右開きタイプとを入れ替えてもよい。
【０１０９】
ナンバープレート認識装置１３は左開きタイプとされているものとする。これを右開きタイプに変更する場合、第一に、作業者は、幅方向左側にある第１閉塞部材３１Ａからハンドル４８を取り外す。
第二に、作業者は、第１閉塞部材３１Ａに取り付けられている第１カバー板４５Ａ、及び、第２閉塞部材３１Ｂに取り付けられている第２カバー板４５Ｂを外し、それぞれを入れ替えて取り付ける。ここで、第１カバー板４５Ａ及び第２カバー板４５Ｂは、各閉塞部材３１に取り付けられている際に、中心線ＣＺを基準に上下対称となる形状とされているものとする。これにより、作業者は、第１カバー板４５Ａ及び第２カバー板４５Ｂの上下を反転させることで、左右の取り付け位置を入れ替えることができる。第２カバー板４５Ｂが第１閉塞部材３１Ａに取り付けられると、第１閉塞部材３１Ａの第１ロック機構５０ａが第２カバー板４５Ｂで覆われてハンドル４８を接続できない状態となる。即ち、第１閉塞部材３１Ａは、常時閉状態となる。他方、第１カバー板４５Ａが第２閉塞部材３１Ｂに取り付けられると、第２閉塞部材３１Ｂの第２ロック機構５０ｂが切り欠き部４６から露出するためハンドル４８を接続できる状態となる。
第三に、作業者は、第２閉塞部材３１Ｂの第２ロック機構５０ｂにハンドル４８を取り付ける。これにより、第２閉塞部材３１Ｂは、ハンドル４８によって開閉可能な扉として機能する。
以上の作業により、左開きタイプであったナンバープレート認識装置１３が右開きタイプに変更される。
なお、上記の入れ替え作業の例において第１カバー板４５Ａ及び第２カバー板４５Ｂを入れ替える際、作業者は、第１カバー板４５Ａ及び第２カバー板４５Ｂの上下を反転させながら左右の取り付け位置を入れ替えるものとして説明したが、他の実施形態においてはこれに限られない。例えば、第１カバー板４５Ａ及び第２カバー板４５Ｂにおける裏表のいずれの面も、ナンバープレート認識装置１３の表側に取り付けることが可能な構成となっていれば、作業者は、第１カバー板４５Ａ及び第２カバー板４５Ｂの表裏を反転させることで左右の取り付け位置を入れ替えることができる。
【０１１０】
また、第１の実施形態において、電源ユニット６０Ｂを第１の使用状態から第２の使用状態に変更する場合、電源ユニット６０Ｂ全体をＺ軸回りに半回転させるとともに、送風ファン６７Ｂを第１前後板６４Ｂａ側から第２前後板６４Ｂｂ側に付け替えるものとして説明したが、他の実施形態においてはこの態様に限られない。
例えば、他の実施形態に係る電源ユニット６０Ｂは、カメラユニット６０Ｃ及び照明ユニット６０Ｄと同様に、ユニット本体６１Ｂの向きを変更することなく本体座７１Ｂのみを半回転させて付け替え可能とされてもよい。このようにすることで、送風ファン６７Ｂを第１前後板６４Ｂａ側から第２前後板６４Ｂｂ側に付け替える作業を要さずとも、電源ユニット６０Ｂを左取付状態から右取付状態に変更することができる。
【０１１１】
以上のとおり、本発明に係るいくつかの実施形態を説明したが、これら全ての実施形態は、例として提示したものであり、発明の範囲を限定することを意図していない。これらの実施形態は、その他の様々な形態で実施されることが可能であり、発明の要旨を逸脱しない範囲で種々の省略、置き換え、変更を行うことができる。これらの実施形態及びその変形は、発明の範囲や要旨に含まれると同様に、特許請求の範囲に記載された発明とその均等の範囲に含まれる。
【符号の説明】
【０１１２】
１  料金収受システム
１３  ナンバープレート認識装置
１３Ａ  筐体
１３Ｂ  支柱
２０  ベース部材
２１  前板
２１ａ  撮影用開口
２１ｂ  照明用開口
２２  後板
２３  天板
２４  底板
２５  開口枠
２５Ｌ  左開口枠
２５Ｒ  右開口枠
２６  開口
２６Ｌ  左開口
２６Ｒ  右開口
２７  取付部
２７Ｌ  左側取付部
２７Ｒ  右側取付部
３１  閉塞部材
３１Ａ  第１閉塞部材
３１Ｂ  第２閉塞部材
３６  ハンドル取付部
３７  被取付部
３８  ネジ孔
４１  板支持部材
４１Ａ  第１板支持部材
４１Ｂ  第２板支持部材
４２  ピン
４３ａ、４３ｂ  蝶番片
４５  カバー板
４５Ａ  第１カバー板
４５Ｂ  第２カバー板
４６  切り欠き部
４８  ハンドル
４９  パネル
５０  ロック機構
５０ａ  第１ロック機構
５０ｂ  第２ロック機構
５１  ハンドル接続部
５２  掛け金
６０Ａ  信号処理ユニット
６１Ａ  ユニット本体
６２Ａ  信号処理回路
６３Ａ  ユニット筐体
６５Ａ  避雷器取付部
６７Ａ  通信インタフェース
６８Ａ  避雷器
７１Ａ、７１Ｂ、７１Ｃ  本体座
７２Ａ、７２Ｂ、７２Ｃ  本体支持片
７３Ａ、７３Ｂ、７３Ｃ  被取付片
７４Ａ、７４Ｂ、７４Ｃ  被取付部
６０Ｂ  電源ユニット
６１Ｂ  ユニット本体
６２Ｂ  電源回路
６３Ｂ  ユニット筐体
６５Ｂ  ファン取付部
６７Ｂ  送風ファン
６８Ｂ  ファン本体
６９Ｂ  ファン支持板
６０Ｃ  カメラユニット
６１Ｃ  ユニット本体
６２Ｃ  カメラ
６３Ｃ  カメラ台
６０Ｄ  照明ユニット
８０Ａ、８０Ｂ、８０Ｃ  ユニット支持部材
８１Ａ、８１Ｂ、８１Ｃ  ガイド片
８２Ａ、８２Ｂ、８２Ｃ  ユニット支持片
８３Ａ、８３Ｂ、８３Ｃ  ユニット固定片
８４Ａ、８４Ｂ、８４Ｃ  固定部
Ａ  車両
ＩＬ  左側アイランド
ＩＲ  右側アイランド
Ｌ  車線
Ｐ１  第１内蔵ユニット
Ｐ２  第２内蔵ユニット
Ｋ  構造物
【図１】
2020109586.tif 000003
【図２】
2020109586.tif 000004
【図３】
2020109586.tif 000005
【図４】
2020109586.tif 000006
【図５】
2020109586.tif 000007
【図６】
2020109586.tif 000008
【図７】
2020109586.tif 000009
【図８】
2020109586.tif 000010
【図９】
2020109586.tif 000011
【図１０】
2020109586.tif 000012
【図１１】
2020109586.tif 000013
【図１２】
2020109586.tif 000014
【図１３】
2020109586.tif 000015
【図１４】
2020109586.tif 000016
【図１５】
2020109586.tif 000017
【図１６】
2020109586.tif 000018
【図１７】
2020109586.tif 000019
【図１８】
2020109586.tif 000020